(57)【要約】【課題】操作性を向上させることにより検査効率の向上を図ることができる検眼装置制御プログラム、眼科装置、および検眼システムを提供する。【解決手段】検眼装置制御プログラムは、光学素子を通して被検眼に視標を呈示する検眼装置を制御するコンピュータを、通信接続確立手段と、操作情報受信手段と、装置制御手段として機能させる。通信接続確立手段は、検眼装置を制御するための操作入力が可能な無線通信端末との通信の接続を確立する。操作情報受信手段は、通信接続確立手段により無線通信端末との通信の接続が確立された状態において、無線通信端末によって受け付けられた操作に対応した第１操作情報を無線通信端末から受信する。装置制御手段は、操作情報受信手段により受信された第１操作情報に基づいて検眼装置を制御する。【選択図】図５
2015223197.tif 000002
【特許請求の範囲】
【請求項１】
光学素子を通して被検眼に視標を呈示する検眼装置を制御するコンピュータを、
前記検眼装置を制御するための操作入力が可能な無線通信端末との通信の接続を確立する通信接続確立手段と、
前記通信接続確立手段により前記無線通信端末との通信の接続が確立された状態において、前記無線通信端末によって受け付けられた操作に対応した第１操作情報を前記無線通信端末から受信する操作情報受信手段と、
前記操作情報受信手段により受信された前記第１操作情報に基づいて前記検眼装置を制御する装置制御手段として、
機能させる検眼装置制御プログラム。
【請求項２】
前記装置制御手段は、前記操作情報受信手段により受信された前記第１操作情報に基づいて前記視標の呈示状態を変更するように前記制御を行う
ことを特徴とする請求項１に記載の検眼装置制御プログラム。
【請求項３】
前記装置制御手段は、前記操作情報受信手段により受信された前記第１操作情報に基づいて複数の光学素子のいずれかを前記被検眼に適用するように前記制御を行う
ことを特徴とする請求項１または請求項２に記載の検眼装置制御プログラム。
【請求項４】
前記検眼装置は、専用の操作装置との接続が可能に構成され、
前記装置制御手段は、さらに、前記操作装置によって受け付けられた操作に対応した第２操作情報に基づいて前記検眼装置を制御する
ことを特徴とする請求項１〜請求項３のいずれか一項に記載の検眼装置制御プログラム。
【請求項５】
前記装置制御手段は、前記無線通信端末および前記操作装置の一方によって受け付けられた操作に基づく前記検眼装置の制御結果を、前記無線通信端末および前記操作装置の他方に反映させる
ことを特徴とする請求項４に記載の検眼装置制御プログラム。
【請求項６】
前記装置制御手段は、前記通信接続確立手段により通信の接続が確立された複数の無線通信端末のいずれかによって受け付けられた操作に基づく前記検眼装置の制御結果を、他の無線通信端末に反映させる
ことを特徴とする請求項１〜請求項５のいずれか一項に記載の検眼装置制御プログラム。
【請求項７】
複数の視標を選択的に被検眼に呈示する視標呈示手段および複数の光学素子を選択的に前記被検眼に適用する光学素子適用手段の少なくとも一方を制御する眼科装置であって、
無線通信端末との通信の接続を確立する通信接続確立手段と、
前記通信接続確立手段により前記無線通信端末との通信の接続が確立された状態において、前記無線通信端末によって受け付けられた操作に対応した第１操作情報を前記無線通信端末から受信する操作情報受信手段と、
前記操作情報受信手段により受信された前記第１操作情報に基づいて前記視標呈示手段および前記光学素子適用手段の少なくとも一方を制御する装置制御手段と、
を含む眼科装置。
【請求項８】
前記視標呈示手段をさらに含む
ことを特徴とする請求項７に記載の眼科装置。
【請求項９】
前記光学素子適用手段をさらに含む
ことを特徴とする請求項７または請求項８に記載の眼科装置。
【請求項１０】
専用の操作装置を含み、
前記装置制御手段は、さらに、前記操作装置によって受け付けられた操作に対応した第２操作情報に基づいて前記視標呈示手段および前記光学素子適用手段の少なくとも一方を制御する
ことを特徴とする請求項７〜請求項９のいずれか一項に記載の眼科装置。
【請求項１１】
前記装置制御手段は、前記無線通信端末および前記操作装置の一方によって受け付けられた操作に基づく前記視標呈示手段の制御結果または前記光学素子適用手段の制御結果を、前記無線通信端末および前記操作装置の他方に反映させる
ことを特徴とする請求項１０に記載の眼科装置。
【請求項１２】
前記装置制御手段は、前記通信接続確立手段により通信の接続が確立された複数の無線通信端末のいずれかによって受け付けられた操作に基づく前記視標呈示手段の制御結果または前記光学素子適用手段の制御結果を、他の無線通信端末に反映させる
ことを特徴とする請求項７〜請求項１１のいずれか一項に記載の眼科装置。
【請求項１３】
複数の視標を選択的に被検眼に呈示する視標呈示手段と、
複数の光学素子を選択的に前記被検眼に適用する光学素子適用手段と、
前記視標呈示手段および前記光学素子適用手段の少なくとも一方を制御する制御手段と、
操作者による操作入力を受けて前記制御手段に操作情報を入力する無線通信端末と、
を含み、
前記制御手段は、
前記無線通信端末との通信の接続を確立する通信接続確立手段と、
前記通信接続確立手段により前記無線通信端末との通信の接続が確立された状態において、前記無線通信端末によって受け付けられた操作に対応した第１操作情報を前記無線通信端末から受信する操作情報受信手段と、
前記操作情報受信手段により受信された前記第１操作情報に基づいて前記視標呈示手段および前記光学素子適用手段の少なくとも一方を制御する装置制御手段と、
を含む検眼システム。
【請求項１４】
専用の操作装置を含み、
前記装置制御手段は、さらに、前記操作装置によって受け付けられた操作に対応した第２操作情報に基づいて前記視標呈示手段および前記光学素子適用手段の少なくとも一方を制御する
ことを特徴とする請求項１３に記載の検眼システム。
【請求項１５】
前記装置制御手段は、前記無線通信端末および前記操作装置の一方によって受け付けられた操作に基づく前記視標呈示手段の制御結果または前記光学素子適用手段の制御結果を、前記無線通信端末および前記操作装置の他方に反映させる
ことを特徴とする請求項１４に記載の検眼システム。
【請求項１６】
前記装置制御手段は、前記通信接続確立手段により通信の接続が確立された複数の無線通信端末のいずれかによって受け付けられた操作に基づく前記視標呈示手段の制御結果または前記光学素子適用手段の制御結果を、他の無線通信端末に反映させる
ことを特徴とする請求項１３〜請求項１５のいずれか一項に記載の検眼システム。
【発明の詳細な説明】
【技術分野】
【０００１】
本発明は、検眼装置を制御するための検眼装置制御プログラム、眼科装置、および検眼システムに関する。
【背景技術】
【０００２】
検眼装置は、光学素子を通して被検眼に視標を呈示することにより視力や視機能などを検査するための装置である。
【０００３】
このような検眼装置は、たとえば、測定ヘッドと、視標呈示装置とを含んで構成される。測定ヘッドは、検眼窓に光学素子を選択的に配置する。測定ヘッドは、コントローラに対する操作者による操作を受け、被検眼に適用する光学素子の変更が可能に構成される。視標呈示装置は、表示部にランドルト環などの視標を選択的に呈示する。視標呈示装置は、上記のコントローラに対する操作者による操作を受け、被検眼に呈示する視標の変更が可能に構成される。
【先行技術文献】
【特許文献】
【０００４】
【特許文献１】特開２００２−１４３０９２号公報
【特許文献２】特開２００８−０３６００２号公報
【特許文献３】特開２０１２−１６５７８８号公報
【発明の概要】
【発明が解決しようとする課題】
【０００５】
しかしながら、検眼装置を用いた一連の検査では、左右の両方の被検眼に対して様々な光学特性を有する光学素子が順次に適用されたり、左右の両方の被検眼に対して様々な視標が順次に呈示されたりする。そのため、コントローラの操作者は、切り替え操作を頻繁に行わなければならなかった。従来のコントローラには、ダイヤルや多数のスイッチが配置されており、操作者は、ダイヤルや多数のスイッチを操作するたびに視線を手元に移動させる必要があった。このようなコントローラの操作性は、検眼装置を用いた検査効率の向上を阻害する要因の１つであると考えられる。
【０００６】
また、検眼装置の普及により、検眼装置は、検査に不慣れな者であっても、手軽に検査が可能になるような操作性を有するコントローラにより制御可能であることが望まれている。
【０００７】
本発明は、上記の問題点を解決するためになされたものであり、操作性を向上させることにより検査効率の向上を図ることができる検眼装置制御プログラム、眼科装置、および検眼システムを提供することを目的とする。
【課題を解決するための手段】
【０００８】
請求項１に記載の検眼装置制御プログラムは、光学素子を通して被検眼に視標を呈示する検眼装置を制御するコンピュータを、前記検眼装置を制御するための操作入力が可能な無線通信端末との通信の接続を確立する通信接続確立手段と、前記通信接続確立手段により前記無線通信端末との通信の接続が確立された状態において、前記無線通信端末によって受け付けられた操作に対応した第１操作情報を前記無線通信端末から受信する操作情報受信手段と、前記操作情報受信手段により受信された前記第１操作情報に基づいて前記検眼装置を制御する装置制御手段として、機能させる。
また、請求項２に記載の発明は、請求項１に記載の検眼装置制御プログラムであって、前記装置制御手段は、前記操作情報受信手段により受信された前記第１操作情報に基づいて前記視標の呈示状態を変更するように前記制御を行う。
また、請求項３に記載の発明は、請求項２に記載の検眼装置制御プログラムであって、前記装置制御手段は、前記操作情報受信手段により受信された前記第１操作情報に基づいて複数の光学素子のいずれかを前記被検眼に適用するように前記制御を行う。
また、請求項４に記載の発明は、請求項１〜請求項３のいずれか一項に記載の検眼装置制御プログラムであって、前記検眼装置は、専用の操作装置との接続が可能に構成され、前記装置制御手段は、更に、前記操作装置によって受け付けられた操作に対応した第２操作情報に基づいて前記検眼装置を制御する。
また、請求項５に記載の発明は、請求項４に記載の検眼装置制御プログラムであって、前記装置制御手段は、前記無線通信端末および前記操作装置の一方によって受け付けられた操作に基づく前記検眼装置の制御結果を、前記無線通信端末および前記操作装置の他方に反映させる。
また、請求項６に記載の発明は、請求項１〜請求項５のいずれか一項に記載の検眼装置制御プログラムであって、前記装置制御手段は、前記通信接続確立手段により通信の接続が確立された複数の無線通信端末のいずれかによって受け付けられた操作に基づく前記検眼装置の制御結果を、他の無線通信端末に反映させる。
また、請求項７に記載の発明は、複数の視標を選択的に被検眼に呈示する視標呈示手段および複数の光学素子を選択的に前記被検眼に適用する光学素子適用手段の少なくとも一方を制御する眼科装置であって、無線通信端末との通信の接続を確立する通信接続確立手段と、前記通信接続確立手段により前記無線通信端末との通信の接続が確立された状態において、前記無線通信端末によって受け付けられた操作に対応した第１操作情報を前記無線通信端末から受信する操作情報受信手段と、前記操作情報受信手段により受信された前記第１操作情報に基づいて前記視標呈示手段および前記光学素子適用手段の少なくとも一方を制御する装置制御手段と、を含む。
また、請求項８に記載の発明は、請求項７に記載の眼科装置であって、前記視標呈示手段を更に含む。
また、請求項９に記載の発明は、請求項７または請求項８に記載の眼科装置であって、前記光学素子適用手段を更に含む。
また、請求項１０に記載の発明は、請求項７〜請求項９のいずれか一項に記載の眼科装置であって、専用の操作装置を含み、前記装置制御手段は、更に、前記操作装置によって受け付けられた操作に対応した第２操作情報に基づいて前記視標呈示手段および前記光学素子適用手段の少なくとも一方を制御する。
また、請求項１１に記載の発明は、請求項１０に記載の眼科装置であって、前記装置制御手段は、前記無線通信端末および前記操作装置の一方によって受け付けられた操作に基づく前記視標呈示手段の制御結果または前記光学素子適用手段の制御結果を、前記無線通信端末および前記操作装置の他方に反映させる。
また、請求項１２に記載の発明は、請求項７〜請求項１１のいずれか一項に記載の眼科装置であって、前記装置制御手段は、前記通信接続確立手段により通信の接続が確立された複数の無線通信端末のいずれかによって受け付けられた操作に基づく前記視標呈示手段の制御結果または前記光学素子適用手段の制御結果を、他の無線通信端末に反映させる。
また、請求項１３に記載の検眼システムは、複数の視標を選択的に被検眼に呈示する視標呈示手段と、複数の光学素子を選択的に前記被検眼に適用する光学素子適用手段と、前記視標呈示手段および前記光学素子適用手段の少なくとも一方を制御する制御手段と、操作者による操作入力を受けて前記制御手段に操作情報を入力する無線通信端末と、を含み、前記制御手段は、前記無線通信端末との通信の接続を確立する通信接続確立手段と、前記通信接続確立手段により前記無線通信端末との通信の接続が確立された状態において、前記無線通信端末によって受け付けられた操作に対応した第１操作情報を前記無線通信端末から受信する操作情報受信手段と、前記操作情報受信手段により受信された前記第１操作情報に基づいて前記視標呈示手段および前記光学素子適用手段の少なくとも一方を制御する装置制御手段と、を含む。
また、請求項１４に記載の発明は、請求項１３に記載の検眼システムであって、専用の操作装置を含み、前記装置制御手段は、更に、前記操作装置によって受け付けられた操作に対応した第２操作情報に基づいて前記視標呈示手段および前記光学素子適用手段の少なくとも一方を制御する。
また、請求項１５に記載の発明は、請求項１４に記載の検眼システムであって、前記装置制御手段は、前記無線通信端末および前記操作装置の一方によって受け付けられた操作に基づく前記視標呈示手段の制御結果または前記光学素子適用手段の制御結果を、前記無線通信端末および前記操作装置の他方に反映させる。
また、請求項１６に記載の発明は、請求項１３〜請求項１５のいずれか一項に記載の検眼システムであって、前記装置制御手段は、前記通信接続確立手段により通信の接続が確立された複数の無線通信端末のいずれかによって受け付けられた操作に基づく前記視標呈示手段の制御結果または前記光学素子適用手段の制御結果を、他の無線通信端末に反映させる。
【発明の効果】
【０００９】
この発明に係る検眼装置制御プログラム、眼科装置、および検眼システムによれば、操作性を向上させることにより検査効率の向上を図ることが可能になる。
【図面の簡単な説明】
【００１０】
【図１】第１実施形態に係る検眼システムの構成例を示す図。
【図２】第１実施形態に係るコントローラの構成例を示す図。
【図３】第１実施形態に係るタブレット端末の構成例を示す図。
【図４】第１実施形態に係る検眼システムの構成例を示す図。
【図５】第１実施形態に係る検眼システムの構成例を示す図。
【図６】第１実施形態に係る検眼システムの動作例を示す図。
【図７】第１実施形態に係るメイン制御装置の動作例を示す図。
【図８】第１実施形態に係るタブレット端末の操作画面の説明図。
【図９】第１実施形態に係る検眼システムの動作例を示す図。
【図１０】第２実施形態に係る検眼システムの構成例を示す図。
【図１１】第２実施形態に係る検眼システムの構成例を示す図。
【図１２】第２実施形態に係る検眼システムの動作例を示す図。
【図１３】第３実施形態に係るメイン制御装置の動作例を示す図。
【図１４】第４実施形態に係るメイン制御装置の動作例を示す図。
【図１５】第５実施形態に係るメイン制御装置の動作例を示す図。
【発明を実施するための形態】
【００１１】
実施形態に係る検眼装置制御プログラム、眼科装置、および検眼システムについて、図面を参照しながら詳細に説明する。
【００１２】
〔第１実施形態〕
［システム構成］
図１に、第１実施形態に係る検眼システムの外観構成を概略的に示す。なお、図１では、検眼装置の操作手段として１つのタブレット端末が図示されているが、後述するように、検眼システムは、複数のタブレット端末を含んで構成されていてもよい。
【００１３】
検眼システム１（眼科システム）は、光学素子を通して被検眼に視標を呈示する検眼装置２を用いて視力や視機能などを検査するためのシステムである。検眼システム１は、図１に示すように、検眼装置２と、タブレット端末１００とを有する。検眼装置２は、測定ヘッド（レフラクタ、フォロプタ）１０、視標呈示装置２０、メイン制御装置４０、およびコントローラ５０を有する。検眼装置２は、測定ヘッド１０、視標呈示装置２０、メイン制御装置４０、およびコントローラ５０のすべてを含んで構成されていなくてもよい。以下では、測定ヘッド１０、視標呈示装置２０、メイン制御装置４０、およびコントローラ５０のそれぞれを、眼科装置と表記する場合がある。
【００１４】
測定ヘッド１０、視標呈示装置２０、メイン制御装置４０、およびコントローラ５０は、電源線および通信線を含むケーブルを介して電気的に接続されている。電源線は、メイン制御装置４０から各部に電源を供給するために用いられる。通信線は、メイン制御装置４０と各部との間の通信を行うために用いられる。タブレット端末１００は、無線の通信路を介して、メイン制御装置４０との通信が可能に構成される。メイン制御装置４０は、コントローラ５０との接続が可能に構成される。メイン制御装置４０は、１以上のタブレット端末１００との無線の通信の接続が可能に構成される。
【００１５】
測定ヘッド１０は、この実施形態に係る「光学素子適用手段」の一例である。視標呈示装置２０は、この実施形態に係る「視標呈示手段」の一例である。メイン制御装置４０は、この実施形態に係る「制御手段」の一例である。コントローラ５０は、この実施形態に係る「専用の操作装置」の一例である。タブレット端末１００は、この実施形態に係る「無線通信端末」の一例である。
【００１６】
図１では、検眼システム１は、検眼用テーブル３を有する。検眼用テーブル３は、測定ヘッド１０の支持やコントローラ５０の載置などのための机である。検眼用テーブル３は、支持部４によって床の上に支持された状態で設置される。なお、図１では、検眼用テーブル３にコントローラ５０およびタブレット端末１００が載置されている。
【００１７】
たとえば、検眼用テーブル３には、支柱５が立設される。支柱５は、横アーム６の一方の端部に設けられた中空状の支持部７に挿入される。支柱５は、垂直方向（矢印方向ｈ）に横アーム６を移動可能に支持するとともに、軸回り方向（矢印方向ｊ、矢印方向ｋ）に横アーム６を回動可能に支持する。横アーム６の他方の端部には、測定ヘッド１０が保持される。この端部には、操作アーム８が、この端部から突出するように設けられている。操作アーム８は、操作者による操作を受け、横アーム６および測定ヘッド１０を支柱５の軸回り方向に回動させることが可能である。なお、横アーム６は、水平方向の軸回りに測定ヘッド１０を回動させる機構を有していてもよい。支持部４の側面には格納部９が設けられ、メイン制御装置４０などが格納される。なお、検眼用テーブル３の構成は、図１に示す構成に限定されるものではない。
【００１８】
この実施形態では、タブレット端末１００やコントローラ５０は、検眼装置２を制御するための操作手段である。測定ヘッド１０は、タブレット端末１００やコントローラ５０に対する操作者（検者または被検者）による操作を受け、複数の光学素子を被検眼に選択的に適用する。視標呈示装置２０は、タブレット端末１００やコントローラ５０に対する操作者による操作を受け、複数の視標を被検眼に選択的に呈示する。メイン制御装置４０は、タブレット端末１００やコントローラ５０に対する操作を受け、測定ヘッド１０または視標呈示装置２０を制御する。
【００１９】
メイン制御装置４０は、所定の期間内に略同時に受け付けられたコントローラ５０に対する操作とタブレット端末１００に対する操作とに対して優先制御を行うことなく、測定ヘッド１０または視標呈示装置２０を制御することが可能である。また、後述するように、メイン制御装置４０は、事前に設定された優先順位に従って、所定の期間内に略同時に受け付けられたコントローラ５０に対する操作とタブレット端末１００に対する操作とに対して優先制御を行ってもよい。この場合、メイン制御装置４０は、優先制御により優先順位が高く設定された操作に基づいて、測定ヘッド１０または視標呈示装置２０を制御する。
【００２０】
（測定ヘッド１０）
測定ヘッド１０は、被検者の眼（被検眼）に複数の光学素子を選択的に配置可能である。測定ヘッド１０は、左眼用検眼ユニット１０Ｌと右眼用検眼ユニット１０Ｒとを有する。左眼用検眼ユニット１０Ｌおよび右眼用検眼ユニット１０Ｒのそれぞれは、被検眼に選択的に適用する複数の光学素子を内蔵する。左眼用検眼ユニット１０Ｌは、複数の光学素子の中から選択された光学素子を被検者の左眼（左被検眼）に適用する。右眼用検眼ユニット１０Ｒは、複数の光学素子の中から選択された光学素子を被検者の右眼（右被検眼）に適用する。左眼用検眼ユニット１０Ｌおよび右眼用検眼ユニット１０Ｒには、それぞれ検眼窓１１Ｌ、１１Ｒが形成されている。タブレット端末１００やコントローラ５０に対する操作を受け、複数の光学素子が検眼窓１１Ｌ、１１Ｒに選択的に配置される。左被検眼は、視標呈示装置２０により呈示された視標を検眼窓１１Ｌを通じて視認する。右被検眼は、視標呈示装置２０により呈示された視標を検眼窓１１Ｒを通じて視認する。
【００２１】
左眼用検眼ユニット１０Ｌおよび右眼用検眼ユニット１０Ｒは、個別に動作可能に構成される。各検眼ユニットは、複数の光学素子と駆動機構とを有する。
【００２２】
各検眼ユニットが有する複数の光学素子は、被検眼の視機能を検査するための各種レンズからなる集合であり、たとえば、球面レンズ、円柱レンズ、累進レンズ、およびプリズムレンズのうち少なくとも１つを含む。複数の光学素子は、検眼パラメータの種別ごとに組分けされる。
【００２３】
検眼パラメータは、被検眼の視機能を検査するための検査条件を示すものである。たとえば、検眼パラメータの種別は、球面度数、乱視度数、乱視軸角度、加入度数、瞳孔間距離、プリズム度数、およびプリズム方向のうち少なくとも１つを含む。検眼パラメータの種別ごとの組分けとして、球面度数の組は、複数の球面レンズを含み、それぞれ異なる球面度数の球面レンズにより構成される。乱視度数の組は、複数の円柱レンズを含み、それぞれ異なる乱視度数の円柱レンズにより構成される。なお、乱視度数の組は、さらに乱視軸角度ごとに組分けされてもよい。加入度数の組は、複数の累進レンズを含み、それぞれ異なる加入度数の累進レンズにより構成される。プリズム度数の組は、複数のプリズムレンズを含み、それぞれ異なるプリズム度数のプリズムレンズにより構成される。なお、プリズム度数の組は、さらにプリズム方向ごとに組分けされてもよい。瞳孔間距離は、被検眼の瞳孔間距離に合わせて設定される検査条件である。瞳孔間距離は、左眼用検眼ユニット１０Ｌと右眼用検眼ユニット１０Ｒの一方または双方が、水平方向（図１の矢印方向ｍ）にスライドすることにより設定される。
【００２４】
各検眼ユニットが有する駆動機構は、複数の光学素子のそれぞれを検眼窓に配置させ、且つ、検眼窓から退避させることが可能に構成される。たとえば、駆動機構は、複数のターレット板を有する。ターレット板は、円板形状である。ターレット板は、駆動機構において、円の中心を軸として円周回りに回動可能に構成される。ターレット板は、縁の近傍に複数の孔を有し、孔には、光学素子が嵌め込まれている。駆動機構は、ターレット板を回動させることにより、複数の光学素子のそれぞれを検眼窓に配置させ、且つ、検眼窓から退避させる。
【００２５】
（視標呈示装置２０）
視標呈示装置２０は、測定ヘッド１０の前方の所定距離の位置に配置される。視標呈示装置２０は、視標を表示することによって、被検眼に視標を呈示する。視標呈示装置２０は、メイン制御装置４０からの制御信号を受け、視力検査視標、赤緑検査視標、乱視検査視標などの視標を表示することが可能である。
【００２６】
（メイン制御装置４０）
メイン制御装置４０は、眼科装置として、検眼装置２の各部を制御する。メイン制御装置４０は、コントローラ５０に対する操作に対応した操作情報をコントローラ５０から受けて、検眼システム１の各部を制御する。具体的には、メイン制御装置４０は、ケーブルを介して、コントローラ５０との有線の通信の接続を確立する。メイン制御装置４０は、コントローラ５０との通信の接続が確立された状態において、コントローラ５０によって受け付けられた操作に対応した操作情報をコントローラ５０から受信する。メイン制御装置４０は、受信された操作情報に基づいて、測定ヘッド１０と視標呈示装置２０の一方または双方を制御する。
【００２７】
また、メイン制御装置４０は、タブレット端末１００に対する操作に対応した操作情報をタブレット端末１００から受けて、検眼装置２の各部を制御する。具体的には、メイン制御装置４０は、無線の通信路を介して、タブレット端末１００との通信の接続を確立する。メイン制御装置４０は、タブレット端末１００との無線の通信の接続が確立された状態において、タブレット端末１００によって受け付けられた操作に対応した操作情報をタブレット端末１００から受信する。メイン制御装置４０は、受信された操作情報に基づいて、測定ヘッド１０と視標呈示装置２０の一方または双方を制御する。
【００２８】
このようなメイン制御装置４０は、中央演算処理装置（Ｃｅｎｔｒａｌ  Ｐｒｏｃｅｓｓｉｎｇ  Ｕｎｉｔ：以下、ＣＰＵ）および記憶装置を有するコンピュータを備えた眼科装置である。記憶装置には、あらかじめ検眼装置制御プログラムが記憶されており、ＣＰＵが記憶装置から読み出された検眼装置制御プログラムに従って処理を実行することにより、測定ヘッド１０および視標呈示装置２０の制御を行う。また、メイン制御装置４０は、専用のハードウェアによって測定ヘッド１０および視標呈示装置２０を制御するようにしてもよい。
【００２９】
（コントローラ５０）
図２に、図１のコントローラ５０の外観構成を概略的に示す。コントローラ５０は、操作部５１と、表示部５２とを有する。操作部５１は、図２に示すように、複数のスイッチと１つのダイヤルとを有し、スイッチの押下やダイヤルの回転などの操作を受け付ける。複数のスイッチには、検査パラメータを切り替えるためのスイッチ、検査パラメータの切り替え方向（＋側、−側）を変更するためのスイッチ、検査対象眼を切り替えるためのスイッチ、切り替え対象を移動させるためのスイッチ、検査種別を切り替えるためのスイッチなどがある。ダイヤルは、回転操作量に応じた分だけ、検眼パラメータの値や検眼パラメータの種別を変更する。このような操作部５１に対する操作者による操作を受けて、コントローラ５０は、操作内容に対応した操作情報をメイン制御装置４０に送る。メイン制御装置４０は、コントローラ５０に対する操作に対応した操作情報をコントローラ５０から受けて、測定ヘッド１０や視標呈示装置２０を制御する。
【００３０】
表示部５２には、測定ヘッド１０の検眼窓にセットされている光学素子の光学特性のパラメータである検眼パラメータの値が、検眼パラメータの種別ごとに光学特性データとして表示される。また、表示部５２には、視標呈示装置２０により呈示された視標または視標チャートが表示される。表示部５２には、切り替え可能な検眼パラメータの値、検眼パラメータの種別、視標、視標チャートなども表示されてもよい。メイン制御装置４０は、各種情報を表示部５２に表示させるように制御する。
【００３１】
（タブレット端末１００）
図３に、図１のタブレット端末１００の外観構成を概略的に示す。タブレット端末１００は、タッチパネル機能を有する表示パネル１０１を有する。表示パネル１０１は、操作画面を表示する表示部１０１ａとして機能するとともに、表示パネル１０１に対する操作者によるタッチ操作を検知し、検出されたタッチ操作を受け付ける操作部１０１ｂとして機能する。表示部１０１ａとしての表示パネル１０１に表示された操作画面は、コントローラ５０の操作部５１に設けられた複数のスイッチのうちの少なくとも一部の機能を実現するための操作画面である。
【００３２】
操作部１０１ｂとしての表示パネル１０１は、検知面を有する。タッチ操作には、たとえば、検知面に対するタップ操作、ドラッグ操作、フリック操作などが含まれる。タップ操作は、操作者が検知面を叩くように触れる操作である。ドラッグ操作は、操作者が検知面に触れたまま、触れた点から他の点まで引きずるように検知面に触れる操作である。フリック操作は、操作者が検知面を払うように触れる操作である。たとえば、操作部１０１ｂは、静電容量方式、抵抗膜方式、表面弾性波方式などの検知方式によって、タッチ操作を検知する。
【００３３】
タブレット端末１００は、この操作画面が表示された表示パネル１０１に対する操作者によるタッチ操作を受け、事前に通信の接続が確立された通信路を介して、このタッチ操作に応じた操作情報をメイン制御装置４０に送る。
【００３４】
メイン制御装置４０は、タブレット端末１００に対する操作に対応した操作情報をタブレット端末１００から受けて、測定ヘッド１０や視標呈示装置２０を制御する。また、メイン制御装置４０は、操作画面を表示パネル１０１に表示させるように制御する。
【００３５】
［制御系の構成］
図４に、第１実施形態に係る検眼システム１の基本構成例のブロック図を示す。図４において、図１と同様の部分には同一符号を付し、適宜説明を省略する。
図５に、図４の検眼システム１の各部の構成例の機能ブロック図を示す。図５は、図示の便宜上、複数のタブレット端末１００のうちの１つを図示している。図５において、図４と同様の部分には同一符号を付し、適宜説明を省略する。
【００３６】
検眼システム１は、図１で説明したように、測定ヘッド１０と、視標呈示装置２０と、メイン制御装置４０と、コントローラ５０と、１以上のタブレット端末１００とを含んで構成されている。なお、検眼システム１は、操作手段として、コントローラ５０および１以上のタブレット端末１００のうち少なくとも１つを含んで構成される。
【００３７】
メイン制御装置４０は、複数のタブレット端末１００との通信が可能に構成される。検眼装置２を用いた検査の前後や検査途中で、タブレット端末１００は、メイン制御装置４０との通信の接続の確立を行ったり、通信の接続を切断したりすることが可能である。メイン制御装置４０は、コントローラ５０やタブレット端末１００に対する操作を受け、測定ヘッド１０や視標呈示装置２０を制御するたびに制御結果をコントローラ５０やタブレット端末１００に反映させる。これにより、検査の前後のみならず検査途中でメイン制御装置４０との通信の接続が確立されたタブレット端末１００を用いて、引き続き検査を継続させることが可能になる。
【００３８】
タブレット端末１００は、メイン制御装置４０の他に、有線または無線の通信路を介してキーボード２００の接続が可能に構成される。キーボード２００は、コントローラ５０の操作部５１と同様の複数のスイッチと１つのダイヤルとを有する。キーボード２００では、コントローラ５０の操作部５１と同様の複数のスイッチおよび１つのダイヤルが操作部５１と同様に配置される。
【００３９】
タブレット端末１００は、有線または無線の通信路を介してキーボード２００との通信の接続を確立すると、キーボード２００に対する操作に対応した操作情報をキーボード２００から受け、この操作情報をメイン制御装置４０に送る。従って、キーボード２００に対する操作を行う操作者は、タブレット端末１００の表示パネル１０１に表示された操作画面を見ながら、コントローラ５０と同様に操作し、測定ヘッド１０または視標呈示装置２０を制御することが可能である。また、表示パネル１０１に表示された操作画面に配置された各領域は、公知の編集機能によって配置位置や別の領域（表示領域、操作領域）との入れ替えが可能である。そのため、操作者にとって見やすい操作画面を見ながら、操作者は、キーボード２００に対する操作を行うことができる。
【００４０】
また、有線または無線の通信路を介してキーボード２００が接続されたタブレット端末１００は、操作者によるタブレット端末１００に対する操作または操作者によるキーボード２００に対する操作に対応した操作情報をメイン制御装置４０に送ることができる。なお、タブレット端末１００は、キーボード２００が接続された状態で、タブレット端末１００に対する操作の受け付け機能を停止させるようにしてもよい。この場合、タブレット端末１００は、表示パネル１０１に操作画面を表示させつつ、キーボード２００に対する操作に対応した操作情報をキーボード２００から受け、この操作情報をメイン制御装置４０に送る。
【００４１】
以上のように、複数の操作手段からの操作入力により検眼装置２の制御が可能になるので、新規な態様で検査を進めることができ、検査効率を向上させることができる。たとえば、検者が、複数のタブレット端末１００を使い分けてもよい。具体的には、検者が、視標制御用のタブレット端末１００、光学素子の切り替え用のタブレット端末１００を使い分ける。また、複数の検者が、複数のタブレット端末１００を使い分けてもよい。
【００４２】
また、メイン制御装置４０との通信が可能なタブレット端末１００の表示パネル１０１に表示された操作画面に対するタッチ操作により、測定ヘッド１０や視標呈示装置２０の制御を可能にしたので、操作者による操作性の向上を図ることができる。これにより、操作に不慣れな者であっても操作性を向上させることができ、検査効率を向上させることが可能になる。
【００４３】
このような検眼システム１では、図５に示すように、各部は次のような構成を有する。
【００４４】
測定ヘッド１０は、左眼用検眼ユニット１０Ｌと、右眼用検眼ユニット１０Ｒと、通信制御部１２と、制御部１３とを含んで構成されている。
【００４５】
通信制御部１２は、ケーブルを介して接続されたメイン制御装置４０との間の通信インターフェース処理を行う。通信インターフェース処理は、メイン制御装置４０からの制御情報（制御信号）の受信処理などを含む。制御部１３は、測定ヘッド１０の各部を制御する。制御部１３は、通信制御部１２を介してメイン制御装置４０から受けた制御情報に基づいて、左眼用検眼ユニット１０Ｌと右眼用検眼ユニット１０Ｒの一方または双方を制御する。左眼用検眼ユニット１０Ｌは、制御部１３からの制御を受け、検眼窓１１Ｌに配置される光学素子を切り替える。右眼用検眼ユニット１０Ｒは、制御部１３からの制御を受け、検眼窓１１Ｒに配置される光学素子を切り替える。
【００４６】
また、通信制御部１２における通信インターフェース処理においてメイン制御装置４０に対する測定ヘッド１０の設定情報の送信処理が行われてもよい。この場合、制御部１３は、メイン制御装置４０または測定ヘッド１０で発生されたトリガに基づいて、通信制御部１２により測定ヘッド１０の設定情報をメイン制御装置４０に対して送信させることが可能である。このような制御部１３は、ＣＰＵおよび記憶装置を有する。記憶装置には、あらかじめ測定ヘッド制御プログラムが記憶されており、ＣＰＵが記憶装置から読み出された測定ヘッド制御プログラムに従って処理を実行することにより、測定ヘッド１０の各部の制御を行う。また、制御部１３は、専用のハードウェアによって測定ヘッド１０の各部を制御するようにしてもよい。
【００４７】
視標呈示装置２０は、通信制御部２１と、制御部２２と、表示制御部２３と、表示部２４とを含んで構成されている。通信制御部２１は、ケーブルを介して接続されたメイン制御装置４０との間の通信インターフェース処理を行う。通信インターフェース処理は、メイン制御装置４０からの制御情報（制御信号）の受信処理などを含む。制御部２２は、視標呈示装置２０の各部を制御する。制御部２２は、通信制御部２１を介してメイン制御装置４０から受けた制御情報に基づいて、視標の呈示状態を変更する。具体的には、制御部２２は、表示制御部２３により、制御情報に基づいて変更された視標を表示部２４に表示させる。
【００４８】
また、通信制御部２１における通信インターフェース処理においてメイン制御装置４０に対する視標呈示装置２０の呈示情報の送信処理が行われてもよい。この場合、制御部２２は、メイン制御装置４０または視標呈示装置２０で発生されたトリガに基づいて、通信制御部２１により視標呈示装置２０の呈示情報をメイン制御装置４０に対して送信させることが可能である。このような制御部２２は、ＣＰＵおよび記憶装置を有する。記憶装置には、あらかじめ視標呈示装置制御プログラムが記憶されており、ＣＰＵが記憶装置から読み出された視標呈示装置制御プログラムに従って処理を実行することにより、視標呈示装置２０の各部の制御を行う。また、制御部２２は、専用のハードウェアによって視標呈示装置２０の各部を制御するようにしてもよい。
【００４９】
コントローラ５０は、操作部５１と、表示部５２と、通信制御部５３と、制御部５４と、表示制御部５５とを含んで構成されている。
【００５０】
通信制御部５３は、ケーブルを介して接続されたメイン制御装置４０との間の通信インターフェース処理を行う。通信インターフェース処理は、メイン制御装置４０からの制御情報（制御信号）の受信処理と、コントローラ５０に対する操作に対応した操作情報の送信処理などを含む。制御部５４は、コントローラ５０の各部を制御する。制御部５４は、表示制御部５５により、通信制御部５３を介してメイン制御装置４０から受けた制御情報に基づいて表示部５２に操作画面や検眼装置２の動作状態などを表示させる。具体的には、制御部５４は、表示制御部５５により、制御情報に基づいて操作画面や検眼装置２の動作状態などを表示部５２に表示させる。なお、制御部５４は、あらかじめ登録された操作画面情報に基づいて表示部５２に操作画面を表示させることも可能である。
【００５１】
また、制御部５４は、操作部５１に対する操作に対応した操作情報を生成する。具体的には、制御部５４は、操作部５１が有する複数のスイッチおよびダイヤルを操作することにより生成された操作信号を操作部５１から受ける。この操作信号の内容と操作部５１に対する操作内容に対応した操作情報とを対応付けたテーブル情報があらかじめ設定されている。制御部５４は、操作部５１から操作信号を受けると、このテーブル情報を参照することにより、操作部５１に対する操作内容に対応した操作情報を生成する。制御部５４は、通信制御部５３により、生成された操作情報を通信制御部５３によりメイン制御装置４０に送信させる。
【００５２】
タブレット端末１００は、表示部１０１ａと、操作部１０１ｂと、通信制御部１０２と、制御部１０３と、表示制御部１０４と、無線通信制御部１０５と、有線通信制御部１０６とを含んで構成されている。
【００５３】
通信制御部１０２は、メイン制御装置４０との無線の通信の接続の確立処理を行い、通信の接続が確立された状態で、メイン制御装置４０との間の通信インターフェース処理を行う。また、通信制御部１０２は、メイン制御装置４０との間の通信の接続の切断処理も行う。通信インターフェース処理は、メイン制御装置４０からの制御情報（制御信号）の受信処理と、タブレット端末１００（表示パネル１０１）に対する操作に対応した操作情報の送信処理などを含む。また、この送信処理は、キーボード２００に対する操作に対応した操作情報の送信処理を含む。制御部１０３は、タブレット端末１００の各部を制御する。制御部１０３は、通信制御部１０２を介してメイン制御装置４０から受けた制御情報に基づいて表示部１０１ａに操作画面や検眼装置２の動作状態などを表示させる。具体的には、制御部１０３は、表示制御部１０４により、制御情報に基づいて操作画面や検眼装置２の動作状態などを表示部１０１ａに表示させる。
【００５４】
また、制御部１０３は、操作部１０１ｂに対する操作に対応した操作情報を生成する。具体的には、操作部１０１ｂの検知面に対し、２次元座標系があらかじめ定義されている。操作部１０１ｂは、検知面に対するタッチ操作を検知すると、タッチ操作が検知された２次元座標系における位置情報を制御部１０３に対して出力する。制御部１０３は、操作部１０１ｂからの位置情報を受けることにより、タッチ操作の検知と、その検知位置との検出が可能になる。制御部１０３は操作部１０１ｂからの位置情報を繰り返し検出することにより、検知時間（たとえば、検知面の接触時間）と検知位置の軌跡とを判別する。これにより、制御部１０３は、表示部１０１ａに表示された操作画面におけるいずれの操作可能領域に対するタッチ操作の内容（タップ操作、ドラッグ操作、フリック操作、各タッチ操作の方向など）であるかを判別することが可能になる。なお、操作可能領域は、操作画面に対するタッチ操作の受け付けが可能な領域である。
【００５５】
操作画面内の操作可能領域ごとに、タッチ操作の内容と操作情報とを対応付けたテーブル情報があらかじめ設定されている。表示部１０１ａに表示された操作画面におけるいずれの操作可能領域に対するタッチ操作の内容であるかを判別すると、制御部１０３は、このテーブル情報を参照することにより、判別された操作可能領域におけるタッチ操作の内容に対応した操作情報を生成する。制御部１０３は、通信制御部１０２により、生成された操作情報を通信制御部１０２によりメイン制御装置４０に送信させる。
【００５６】
また、制御部１０３は、無線通信制御部１０５と有線通信制御部１０６の一方または双方を制御することにより、キーボード２００との通信の接続の確立処理を行わせたり、通信の切断処理を行わせたりすることができる。
【００５７】
無線通信制御部１０５は、キーボード２００との無線の通信の接続の確立処理を行い、通信の接続が確立された状態で、キーボード２００との間の通信インターフェース処理を行う。また、無線通信制御部１０５は、キーボード２００との間の通信の接続の切断処理も行う。通信インターフェース処理は、キーボード２００に対する操作に対応した操作情報の受信処理と、キーボード２００に対する制御情報の送信処理とを含む。
【００５８】
有線通信制御部１０６は、キーボード２００との有線（ケーブル）の通信の接続の確立処理を行い、通信の接続が確立された状態で、キーボード２００との間の通信インターフェース処理を行う。また、有線通信制御部１０６は、キーボード２００との間の通信の接続の切断処理も行う。通信インターフェース処理は、キーボード２００に対する操作に対応した操作情報の受信処理と、キーボード２００に対する制御情報の送信処理とを含む。
【００５９】
キーボード２００は、無線通信制御部２０１と、有線通信制御部２０２と、制御部２０３と、操作部２０４とを含んで構成されている。
【００６０】
無線通信制御部２０１は、タブレット端末１００（無線通信制御部１０５）との無線の通信の接続の確立処理を行い、通信の接続が確立された状態で、タブレット端末１００（無線通信制御部１０５）との間の通信インターフェース処理を行う。また、無線通信制御部２０１は、タブレット端末１００との間の通信の接続の切断処理も行う。通信インターフェース処理は、タブレット端末１００（無線通信制御部１０５）からの制御情報の受信処理と、キーボード２００に対する操作に対応した操作情報の送信処理とを含む。
【００６１】
有線通信制御部２０２は、タブレット端末１００（有線通信制御部１０６）との有線（ケーブル）の通信の接続の確立処理を行い、通信の接続が確立された状態で、タブレット端末（有線通信制御部１０６）との間の通信インターフェース処理を行う。また、有線通信制御部２０２は、タブレット端末１００との間の通信の接続の切断処理も行う。通信インターフェース処理は、タブレット端末１００（有線通信制御部１０６）からの制御情報の受信処理と、キーボード２００に対する操作に対応した操作情報の送信処理とを含む。
【００６２】
メイン制御装置４０は、通信制御部４１、４２、４３、４４と、電源部４５と、視標画像生成部４６と、制御部４７とを含んで構成されている。
【００６３】
通信制御部４１は、ケーブルを介して接続された測定ヘッド１０（通信制御部１２）との間の通信インターフェース処理を行う。通信インターフェース処理は、測定ヘッド１０に対する制御情報（制御信号）の送信処理などを含む。また、通信インターフェース処理において測定ヘッド１０の設定情報の受信処理が行われてもよい。この場合、制御部４７は、メイン制御装置４０または測定ヘッド１０で発生されたトリガに基づいて、通信制御部４１により測定ヘッド１０の設定情報を測定ヘッド１０から受信させることが可能である。
【００６４】
通信制御部４２は、ケーブルを介して接続された視標呈示装置２０（通信制御部２１）との間の通信インターフェース処理を行う。通信インターフェース処理は、視標呈示装置２０に対する制御情報（制御信号）の送信処理などを含む。この制御情報には、視標画像生成部４６により生成され、視標呈示装置２０の表示部２４に表示される視標の画像情報が含まれる。また、通信インターフェース処理において視標呈示装置２０の呈示情報の受信処理が行われてもよい。この場合、制御部４７は、メイン制御装置４０または視標呈示装置２０で発生されたトリガに基づいて、通信制御部４２により視標呈示装置２０の呈示情報を視標呈示装置２０から受信させることが可能である。
【００６５】
通信制御部４３は、ケーブルを介して接続されたコントローラ５０（通信制御部５３）との間の通信インターフェース処理を行う。通信インターフェース処理は、コントローラ５０に対する操作に対応した操作情報の受信処理と、コントローラ５０に対する制御情報（制御信号）の送信処理などを含む。この制御情報には、制御部４７により生成され、コントローラ５０の表示部５２に表示される操作画面の画像情報が含まれてもよい。
【００６６】
通信制御部４４は、タブレット端末１００（通信制御部１０２）との無線の通信の接続の確立処理を行い、通信の接続が確立された状態で、タブレット端末１００（通信制御部１０２）との間の通信インターフェース処理を行う。また、通信制御部４４は、タブレット端末１００（通信制御部１０２）との間の通信の接続の切断処理も行う。通信インターフェース処理は、タブレット端末１００（通信制御部１０２）またはキーボード２００に対する操作に対応した操作情報の受信処理と、メイン制御装置４０からの制御情報（制御信号）の送信処理などを含む。この制御情報には、制御部４７により生成され、タブレット端末１００の表示部１０１ａに表示される操作画面の画像情報が含まれる。
【００６７】
電源部４５は、測定ヘッド１０、視標呈示装置２０、メイン制御装置４０、およびコントローラ５０の電源を生成し、生成された電源を各部に供給する。
【００６８】
視標画像生成部４６は、視標呈示装置２０の表示部２４に表示される視標画像（視標画像データ）を生成する。視標画像生成部４６は、制御部４７からの制御を受け、視標画像を生成する。視標画像には、制御部４７からの制御に基づいて指定された視力値の視標や視標チャートなどが含まれる。たとえば、視標と所定の視力値の視標画像パターンとを対応付けたテーブル情報があらかじめ設定されている。視標画像生成部４６は、このテーブル情報を参照することにより、制御部４７により指定された視力値となるように視標画像パターンの拡大処理や縮小処理を行うことで、所望の視力値の視標画像を生成する。制御部４７は、通信制御部４２により、視標画像生成部４６によって生成された視標画像（視標画像データ）を視標呈示装置２０に送信させる。
【００６９】
制御部４７は、メイン制御装置４０の各部を制御する。制御部４７は、通信制御部４３により、コントローラ５０との通信の接続を確立させる。制御部４７は、コントローラ５０との通信の接続が確立された状態において、通信制御部４３により、コントローラ５０によって受け付けられた操作に対応した操作情報（第２操作情報）をコントローラ５０から受信させる。制御部４７は、通信制御部４１を介して測定ヘッド１０を制御することにより、受信された操作情報に基づいて複数の光学素子のいずれかを被検眼に適用するように検眼装置２を制御する。制御部４７は、通信制御部４２を介して視標呈示装置２０を制御することにより、受信された操作情報に基づいて視標の呈示状態を変更するように検眼装置２を制御する。
【００７０】
また、制御部４７は、通信制御部４４により、タブレット端末１００との通信の接続を確立させる。制御部４７は、タブレット端末１００との通信の接続が確立された状態において、通信制御部４４により、タブレット端末１００によって受け付けられた操作に対応した操作情報（第１操作情報）をタブレット端末１００から受信させる。制御部４７は、通信制御部４１を介して測定ヘッド１０を制御することにより、受信された操作情報に基づいて複数の光学素子のいずれかを被検眼に適用するように検眼装置２を制御する。制御部４７は、通信制御部４２を介して視標呈示装置２０を制御することにより、受信された操作情報に基づいて視標の呈示状態を変更するように検眼装置２を制御する。
【００７１】
制御部４７は、タブレット端末１００およびコントローラ５０の一方によって受け付けられた操作に基づく測定ヘッド１０の制御結果または視標呈示装置２０の制御結果（検眼装置２の制御結果）を、他方に反映させることができる。たとえば、タブレット端末１００によって受け付けられた操作に基づいて測定ヘッド１０が制御されたとき、コントローラ５０の表示部５２に表示された操作画面が測定ヘッド１０の制御結果により更新される。これにより、コントローラ５０の操作者は、タブレット端末１００に対する操作の結果を認識しながら、コントローラ５０に対する操作を行うことが可能になる。また、たとえば、コントローラ５０によって受け付けられた操作に基づいて視標呈示装置２０が制御されたとき、タブレット端末１００の表示部１０１ａに表示された操作画面が視標呈示装置２０の制御結果により更新される。これにより、タブレット端末１００の操作者は、コントローラ５０に対する操作の結果を認識しながら、タブレット端末１００に対する操作を行うことが可能になる。
【００７２】
また、通信制御部４４は、複数のタブレット端末１００との通信の接続を並列に確立可能である。この場合、制御部４７は、複数のタブレット端末１００のいずれかによって受け付けられた操作に基づく測定ヘッド１０の制御結果または視標呈示装置２０の制御結果（検眼装置２の制御結果）を、他のタブレット端末１００に反映させることができる。たとえば、通信制御部４４が第１のタブレット端末および第２のタブレット端末との通信の接続が並列に確立された状態で、第１のタブレット端末によって受け付けられた操作に基づいて測定ヘッド１０が制御されたものとする。このとき、第２のタブレット端末の表示部に表示された操作画面が測定ヘッド１０の制御結果により更新される。これにより、第２のタブレット端末の操作者は、第１のタブレット端末に対する操作の結果を認識しながら、第２のタブレット端末に対する操作を行うことが可能になる。
【００７３】
通信制御部４４は、この実施形態に係る「通信接続確立手段」の一例である。また、通信制御部４４は、この実施形態に係る「操作情報受信手段」の一例である。制御部４７は、この実施形態に係る「装置制御手段」の一例である。
【００７４】
［動作例］
図６に、第１実施形態に係る検眼システム１の動作例のフロー図を示す。図６は、２つのタブレット端末１００を用い、一方は検者が操作し、他方は被検者が操作する場合について説明する。
【００７５】
（Ｓ１）
メイン制御装置４０は、通信制御部４４を介して、２つのタブレット端末１００との通信の接続を確立する。
【００７６】
たとえば、メイン制御装置４０（通信制御部４４）とタブレット端末１００（通信制御部１０２）とを事前にペアリング登録しておく。ペアリング登録は、通信制御部４４および通信制御部１０２の一方をペアリング可能な状態に設定する。続いて、通信制御部４４および通信制御部１０２の他方が、ペアリング可能な状態に設定された接続相手を探索する。通信制御部４４および通信制御部１０２の他方は、探索された接続相手の中から所望の接続相手を選択する。通信制御部４４および通信制御部１０２の双方には、互いに同一の認証鍵が設定される。メイン制御装置４０とタブレット端末１００の双方は、このような接続相手方の情報とその認証鍵とを登録情報として、次回以降の接続に用いるために登録しておく。
【００７７】
その後、通信制御部４４および通信制御部１０２の一方が、他方に対して接続要求を行う。接続要求は、所定の接続要求信号を周囲に送信することにより行われる。通信制御部４４および通信制御部１０２の他方は、接続要求を受信すると登録情報を参照し、登録情報に登録されていることが確認されると、通信の準備が整った時点で接続承認を返す。接続承認は、所定の接続承認信号を送信することにより行われる。接続承認を受け取ると、たとえば、通信制御部４４および通信制御部１０２の間で最終確認のための所定の情報（たとえば、相手方の確認や通信状態の設定などための情報）の送受信が行われる。これにより、通信制御部４４および通信制御部１０２の間の通信の接続が確立する。
【００７８】
メイン制御装置４０は、以上のような制御を繰り返すことで、２つのタブレット端末１００との通信の接続を確立する。
【００７９】
（Ｓ２）
メイン制御装置４０は、被検者用のタブレット端末１００に制御情報を送ることにより、そのタブレット端末１００の表示部１０１ａに被検者情報入力画面を表示させ、被検者情報の入力を受け付けさせる。タブレット端末１００は、被検者情報の入力を受け付け、受け付けられた被検者情報を、メイン制御装置４０に対して送る。
【００８０】
（Ｓ３）
被検者情報と前回の検査で得られた処方値とを対応付けたテーブル情報があらかじめ設定されている。メイン制御装置４０は、タブレット端末１００から受信した被検者情報に基づいてテーブル情報を参照することにより、被検者情報に対応した処方値を特定する。メイン制御装置４０は、特定された処方値から測定ヘッド１０の設定情報および視標呈示装置２０の呈示情報を特定する。メイン制御装置４０は、特定された測定ヘッド１０の設定情報に基づいて測定ヘッド１０の光学素子を設定するとともに、特定された視標呈示装置２０の呈示情報に基づいて視標呈示装置２０の呈示状態を設定する。
【００８１】
（Ｓ４）
メイン制御装置４０は、検者用のタブレット端末１００に対する操作を受けて、測定ヘッド１０と視標呈示装置２０の一方または双方を制御することにより、被検眼の検査を行わせる。
【００８２】
（Ｓ５）
一連の検査が終了すると、メイン制御装置４０は、Ｓ２にて入力された被検者情報の処方値を更新して保存する。
【００８３】
（Ｓ６）
通信制御部４４は、メイン制御装置４０からの制御を受け、２つのタブレット端末１００との通信の接続を切断する。以上で、メイン制御装置４０による一連の処理は、終了する（エンド）。
【００８４】
メイン制御装置４０との通信が可能な複数のタブレット端末１００は同様の構成を有しているため、以下では、メイン制御装置４０と１つのタブレット端末１００（検者用）との間の処理について説明する。
【００８５】
図７に、タブレット端末１００との通信の接続を確立するメイン制御装置４０の処理例のフロー図を示す。ここでは、タブレット端末１００からメイン制御装置４０に対して接続要求を行うものとする。
図８に、図７のＳ１６の説明図を示す。図８は、タブレット端末１００の表示部１０１ａに表示された操作画面の一例を表す。図８において、図３と同様の部分には同一符号を付している。
【００８６】
（Ｓ１１）
制御部４７は、通信制御部４４において、タブレット端末１００からの接続要求があるか否かを検出する（Ｓ１１：Ｎ）。通信制御部４４においてタブレット端末１００からの接続要求が検出されたとき（Ｓ１１：Ｙ）、制御部４７による処理は、Ｓ１２に移行する。
【００８７】
（Ｓ１２）
通信制御部４４においてタブレット端末１００からの接続要求が検出されたとき（Ｓ１１：Ｙ）、制御部４７は、登録情報を参照する。この登録情報は、上記のように、事前にペアリング登録したときに特定された接続相手方の情報とその認証鍵とを含む情報である。
【００８８】
（Ｓ１３）
制御部４７は、Ｓ１２において参照された登録情報にＳ１１で接続要求を行ったタブレット端末が登録されているか否かを判別する。Ｓ１２において参照された登録情報にＳ１１で接続要求を行ったタブレット端末が登録されていたと判別されたとき（Ｓ１３：Ｙ）、制御部４７による処理は、Ｓ１４に移行する。Ｓ１２において参照された登録情報にＳ１１で接続要求を行ったタブレット端末が登録されていたと判別されなかったとき（Ｓ１３：Ｎ）、制御部４７による処理は、Ｓ１９に移行する。
【００８９】
（Ｓ１４）
Ｓ１２において参照された登録情報にＳ１１で接続要求を行ったタブレット端末が登録されていたと判別されたとき（Ｓ１３：Ｙ）、制御部４７は、通信制御部４４により接続承認信号を送信させることにより接続承認を行う。その後、通信制御部４４とタブレット端末１００の通信制御部１０２との間で最終確認のための所定の情報の送受信が行われた後、メイン制御装置４０とタブレット端末１００との間の通信の接続が確立する。
【００９０】
（Ｓ１５）
制御部４７は、通信制御部４４において、タブレット端末１００からの操作情報が受信されたか否かを検出する。通信制御部４４においてタブレット端末１００からの操作情報が受信されたことが検出されたとき（Ｓ１５：Ｙ）、制御部４７による処理は、Ｓ１６に移行する。一方、通信制御部４４においてタブレット端末１００からの操作情報が受信されたことが検出されなかったとき（Ｓ１５：Ｎ）、制御部４７による処理は、Ｓ１８に移行する。
【００９１】
（Ｓ１６）
通信制御部４４においてタブレット端末１００からの操作情報が受信されたことが検出されたとき（Ｓ１５：Ｙ）、制御部４７は、通信制御部４４において受信された操作情報に基づいて測定ヘッド１０または視標呈示装置２０を制御する。
【００９２】
この操作情報は、たとえば、次のようなタブレット端末１００の表示部１０１ａに表示された操作画面に対するタッチ操作に対応した情報である。
【００９３】
タブレット端末１００は、メイン制御装置４０からの制御を受け、図８に示すような操作画面を表示部１０１ａ（表示パネル１０１）に表示する。この操作画面には、たとえば、設定領域Ｇ１と、参照データ表示領域Ｇ２と、操作領域Ｇ３と、マスク設定領域Ｇ４と、チャート表示領域Ｇ５と、回転設定領域Ｇ６と、アイコンＧ７と、チャート選択領域Ｇ８とが設けられる。設定領域Ｇ１には、測定ヘッド設定領域Ｇ１１と、瞳孔間距離設定領域Ｇ１２とが設けられる。
【００９４】
測定ヘッド設定領域Ｇ１１および瞳孔間距離設定領域Ｇ１２には、測定ヘッド１０の検眼窓にセットされている光学素子の光学特性のパラメータである検眼パラメータの値が光学特性データ（たとえば、自覚データ）として表示される。この実施形態では、検眼パラメータには、球面度数、乱視度数、乱視軸角度、加入度数、水平方向のプリズム度数、および垂直方向のプリズム度数などがある。たとえば、図８では、測定ヘッド設定領域Ｇ１１には、測定ヘッド１０の左眼用検眼ユニット１０Ｌおよび右眼用検眼ユニット１０Ｒのそれぞれの検眼窓１１Ｌ、１１Ｒに設定された検眼パラメータの値が表示される。また、瞳孔間距離設定領域Ｇ１２には、検眼パラメータとしての瞳孔間距離の値が表示される。
【００９５】
タブレット端末１００は、測定ヘッド設定領域Ｇ１１または瞳孔間距離設定領域Ｇ１２における第１のタッチ操作を検知し、第１のタッチ操作により指定された検眼パラメータの種別や検眼パラメータの値を変更するための操作情報をメイン制御装置４０に送る。メイン制御装置４０の制御部４７は、タブレット端末１００からの操作情報を受け、この操作情報に基づいて測定ヘッド１０を制御することにより、指定された検眼パラメータの種別に変更したり、指定された検眼パラメータの値に変更したりする。
【００９６】
参照データ表示領域Ｇ２には、設定領域Ｇ１に表示されている光学特性データと対比可能な光学特性データ（たとえば、自覚データ、他覚データ、またはメガネ処方値）が表示される。たとえば、図８では、参照データ表示領域Ｇ２には、測定ヘッド設定領域Ｇ１１と同じデータが表示される。
【００９７】
操作領域Ｇ３は、操作対象の検眼パラメータの種別、選択された検眼パラメータの値の増減値を変更するための操作の受け付けが可能な領域である。また、操作領域Ｇ３は、視標チャートや視標の視力値を変更するための操作の受け付けが可能な領域である。また、操作領域Ｇ３は、コントローラ５０の操作部５１に設けられたダイヤルと同様に、検眼パラメータの種別や値、検眼パラメータの種別や視力値を連続的に変更するための操作の受け付けも可能な領域である。操作領域Ｇ３は、タブレット端末１００を把持する手を用いた操作が容易になるように、表示部１０１ａの周縁部に沿って配置される。具体的には、表示部１０１ａを正面から見たときに、操作領域Ｇ３は、表示部１０１ａ（検知面）の右側の端部または左側の端部に沿って配置される。操作領域Ｇ３は、表示部１０１ａ（検知面）の対向する両側の端部に沿って設けられた複数の領域により構成されていてもよい。
【００９８】
タブレット端末１００は、操作領域Ｇ３における第２のタッチ操作を検知し、第２のタッチ操作に対応した操作情報をメイン制御装置４０に送る。メイン制御装置４０の制御部４７は、タブレット端末１００からの操作情報を受け、この操作情報に基づいて測定ヘッド１０または視標呈示装置２０を制御することにより、検眼パラメータの種別や値、視標チャートや視標を変更する。
【００９９】
マスク設定領域Ｇ４には、チャート表示領域Ｇ５に表示された視標チャートに対するマスクを設定するためのアイコンが表示される。タブレット端末１００は、マスク設定領域Ｇ４における第３のタッチ操作を検知し、第３のタッチ操作により選択されたアイコンに対応したマスクを視標チャートに設定するための操作情報をメイン制御装置４０に送る。メイン制御装置４０の制御部４７は、タブレット端末１００からの操作情報を受け、この操作情報に基づいて視標呈示装置２０を制御することにより、視標チャートに対し指定されたマスクを施す。
【０１００】
チャート表示領域Ｇ５には、視標呈示装置２０により呈示される視標チャートが表示される。タブレット端末１００は、チャート表示領域Ｇ５における第４のタッチ操作を検知し、第４のタッチ操作により選択された視標または視標群を視標呈示装置２０に呈示させるための操作情報をメイン制御装置４０に送る。チャート表示領域Ｇ５における第４のタッチ操作により、選択された視標を含む１列分の視標群または選択された視標を含む１行分の視標群の選択が可能である。メイン制御装置４０の制御部４７は、タブレット端末１００からの操作情報を受け、この操作情報に基づいて視標呈示装置２０を制御することにより、指定された視標または視標群を呈示させる。
【０１０１】
回転設定領域Ｇ６には、乱視軸角度を設定するためのアイコンが表示される。タブレット端末１００は、回転設定領域Ｇ６における第５のタッチ操作を検知し、第５のタッチ操作により選択されたアイコンに対応した乱視軸角度を設定するための操作情報をメイン制御装置４０に送る。メイン制御装置４０の制御部４７は、タブレット端末１００からの操作情報を受け、この操作情報に基づいて測定ヘッド１０を制御することにより、乱数軸角度を指定された乱数軸角度に変更する。
【０１０２】
アイコンＧ７には、検眼窓１１Ｌ、１１Ｒに選択的に配置される補助レンズの種別が表示される。補助レンズには、たとえば、補助用の球面レンズや円柱レンズ、プリズム、偏光フィルタ、グリーンフィルタ、レッドフィルタ、ピンホールなどが用いられる。
【０１０３】
チャート選択領域Ｇ８は、視標呈示装置２０により呈示可能な視標チャートの一覧が表示される。タブレット端末１００は、チャート選択領域Ｇ８における第６のタッチ操作を検知し、第６のタッチ操作により選択された視標チャートを選択するための操作情報をメイン制御装置４０に送る。メイン制御装置４０の制御部４７は、タブレット端末１００からの操作情報を受け、この操作情報に基づいて視標呈示装置２０を制御することにより、視標チャートを指定された視標チャートに変更する。
【０１０４】
なお、表示部１０１ａに表示された操作画面は、図８に示すものに限定されるものではない。操作画面に配置された各領域は、事後的に配置位置の変更が可能である。また、操作画面に配置された各領域は、事後的に別の領域との置き換えが可能である。さらに、表示部１０１ａには、コントローラ５０の操作部５１と同様の複数のスイッチおよび１つのダイヤルが操作部５１と同様に配置された操作画面が表示されるようにしてもよい。
【０１０５】
（Ｓ１７）
図７に示すように、以上のようなＳ１６におけるタブレット端末１００に対する操作を繰り返して一連の検査が終了するとき（Ｓ１７：Ｙ）、制御部４７による処理は、Ｓ１９に移行する。一方、一連の検査が終了しないとき（Ｓ１７：Ｎ）、制御部４７による処理は、Ｓ１５に移行する。
【０１０６】
（Ｓ１８）
通信制御部４４においてタブレット端末１００からの操作情報が受信されたことが検出されなかったとき（Ｓ１５：Ｎ）、制御部４７は、所定のタイムアウト時間が経過したか否かを検出する。所定のタイムアウト時間は、たとえば、Ｓ１５においてタブレット端末１００からの操作情報が受信されたときに初期化される時間であり、それ以外の場合には進行し続ける時間である。所定のタイムアウト時間が経過したことが検出されたとき（Ｓ１８：Ｙ）、制御部４７による処理は、Ｓ１９に移行する。一方、所定のタイムアウト時間が経過したことが検出されなかったとき（Ｓ１８：Ｎ）、制御部４７による処理は、Ｓ１５に移行する。
【０１０７】
（Ｓ１９）
通信制御部４４は、タブレット端末１００との間の通信の接続を切断する。たとえば、通信制御部４４は、所定の通信切断信号をタブレット端末１００に送信することにより、タブレット端末１００との間の通信の接続を切断する。以上で、制御部４７による一連の処理は、終了する（エンド）。
【０１０８】
なお、図７では、タブレット端末１００がメイン制御装置４０に対して接続要求を行う場合について説明したが、これに限定されるものではない。メイン制御装置４０がタブレット端末１００に対して接続要求を行ってもよい。
【０１０９】
図９に、第１実施形態に係る検眼システム１の動作例のシーケンス図を示す。図９は、垂直方向に時間軸をとり、測定ヘッド１０、視標呈示装置２０、メイン制御装置４０、コントローラ５０、およびタブレット端末１００の間の情報の送受信の概要を表したものである。
【０１１０】
タブレット端末１００がメイン制御装置４０に対して接続要求を行う（ＳＱ１）と、メイン制御装置４０は、接続要求を受信し、ペアリング登録された相手方の情報等があらかじめ登録された登録情報を参照する（ＳＱ２）。
【０１１１】
登録情報にタブレット端末１００が登録されていると、メイン制御装置４０は、タブレット端末１００に対して接続承認を行う（ＳＱ３）。その後、メイン制御装置４０とタブレット端末１００との間の通信の接続が確立する。
【０１１２】
通信の接続が確立した状態で、タブレット端末１００に対して視標制御を行うための操作が行われると、タブレット端末１００は、当該操作に対応した操作情報をメイン制御装置４０に送る（ＳＱ４）。
【０１１３】
この操作情報を受けたメイン制御装置４０は、操作情報に基づいて視標呈示装置２０を制御する（ＳＱ５）。視標呈示装置２０は、メイン制御装置４０からの制御を受け、視標を変更する（ＳＱ６）。また、操作情報を受けたメイン制御装置４０は、コントローラ５０に対して、表示部５２に表示された視標呈示装置２０の呈示状態の更新を指示する（ＳＱ７）。この指示を受けたコントローラ５０は、表示部５２に表示された視標呈示装置２０の呈示状態を更新する（ＳＱ８）。
【０１１４】
通信の接続が確立した状態で、タブレット端末１００に対して測定ヘッド１０における光学素子の切り替え制御を行うための操作が行われると、タブレット端末１００は、当該操作に対応した操作情報をメイン制御装置４０に送る（ＳＱ９）。
【０１１５】
この操作情報を受けたメイン制御装置４０は、操作情報に基づいて測定ヘッド１０を制御する（ＳＱ１０）。測定ヘッド１０は、メイン制御装置４０からの制御を受け、光学素子を切り替える（ＳＱ１１）。また、操作情報を受けたメイン制御装置４０は、コントローラ５０に対して、表示部５２に表示された測定ヘッド１０の設定状態の更新を指示する（ＳＱ１２）。この指示を受けたコントローラ５０は、表示部５２に表示された測定ヘッド１０の設定状態を更新する（ＳＱ１３）。
【０１１６】
次に、コントローラ５０に対して測定ヘッド１０における光学素子の切り替え制御を行うための操作が行われたものとする。この場合、コントローラ５０は、当該操作に対応した操作情報をメイン制御装置４０に送る（ＳＱ１４）。
【０１１７】
この操作情報を受けたメイン制御装置４０は、操作情報に基づいて測定ヘッド１０を制御する（ＳＱ１５）。測定ヘッド１０は、メイン制御装置４０からの制御を受け、光学素子を切り替える（ＳＱ１６）。また、操作情報を受けたメイン制御装置４０は、タブレット端末１００に対して、表示部１０１ａに表示された操作画面における測定ヘッド１０の設定状態の更新を指示する（ＳＱ１７）。この指示を受けたタブレット端末１００は、表示部１０１ａに表示された操作画面における測定ヘッド１０の設定状態を更新する（ＳＱ１８）。
【０１１８】
［作用・効果］
第１実施形態に係る検眼装置制御プログラムの作用および効果について説明する。
【０１１９】
検眼装置制御プログラムは、光学素子を通して被検眼に視標を呈示する検眼装置２を制御するコンピュータを、通信制御部４４（通信接続確立手段、操作情報受信手段）と、制御部４７（装置制御手段）として機能させる。検眼装置２は、測定ヘッド１０と視標呈示装置２０の一方または双方を含む。通信制御部４４は、検眼装置２を制御するための操作入力が可能なタブレット端末１００（無線通信端末）との通信の接続を確立する。通信制御部４４は、タブレット端末１００との通信の接続が確立された状態において、タブレット端末１００によって受け付けられた操作に対応した第１操作情報をタブレット端末１００から受信する。制御部４７は、通信制御部４４により受信された第１操作情報に基づいて検眼装置２を制御する。
【０１２０】
また、検眼装置制御プログラムにおいて、制御部４７は、通信制御部４４により受信された第１操作情報に基づいて視標の呈示状態を変更するように制御する。また、検眼装置制御プログラムにおいて、制御部４７は、通信制御部４４により受信された第１操作情報に基づいて複数の光学素子のいずれかを被検眼に適用するように制御する。
【０１２１】
このような検眼装置制御プログラムでは、通信の接続が確立された状態で、タブレット端末１００に対する操作に対応した操作情報を受け、この操作情報を検眼装置２に送信することにより、検眼装置２を制御する。複数のスイッチやダイヤルが配置されたコントローラ５０に対する操作と異なり、タブレット端末１００に対する操作は、タッチ操作などで実現できる。これにより、操作者による操作性を向上させ、検査効率の向上が可能になる。また、タブレット端末１００の表示部１０１ａにコントローラ５０の操作部５１に設けられた複数のスイッチのうちの一部の機能を実現するための操作画面を表示させることも可能である。この場合、操作者は、自分に合った配置の操作画面に対して操作を行うことも可能である。
【０１２２】
また、検眼装置制御プログラムにおいて、検眼装置２は、コントローラ５０（専用の操作装置）との接続が可能に構成される。制御部４７は、さらに、コントローラ５０によって受け付けられた操作に対応した第２操作情報に基づいて検眼装置２を制御する。
【０１２３】
このような検眼装置制御プログラムによれば、コントローラ５０に対する操作とタブレット端末１００に対する操作の双方を受けながら検眼装置２を制御することが可能になる。これにより、より操作性を向上させて、従来と同様の機能を実現することができる。この場合、検者がコントローラ５０とタブレット端末１００の双方の操作入力を行ってもよいし、複数の検者がコントローラ５０とタブレット端末１００の双方の操作入力を行ってもよい。また、検者と被検者が、コントローラ５０とタブレット端末１００により操作入力を行ってもよい。
【０１２４】
また、検眼装置制御プログラムにおいて、制御部４７は、タブレット端末１００およびコントローラ５０の一方によって受け付けられた操作に基づく検眼装置２の制御結果を、タブレット端末１００およびコントローラ５０の他方に反映させる。
【０１２５】
このような検眼装置制御プログラムによれば、タブレット端末１００およびコントローラ５０の他方の操作者は、タブレット端末１００およびコントローラ５０の一方の操作の結果を認識しながら、他方に対する操作を行うことが可能になる。
【０１２６】
また、検眼装置制御プログラムにおいて、制御部４７は、通信制御部４４により通信の接続が確立された複数のタブレット端末１００のいずれかによって受け付けられた操作に基づく検眼装置２の制御結果を、他のタブレット端末１００に反映させる。
【０１２７】
このような検眼装置制御プログラムによれば、タブレット端末１００の操作者は、自身のタブレット端末１００以外の複数のタブレット端末１００のいずれかの操作の結果を認識しながら、自身のタブレット端末１００の操作を行うことが可能になる。
【０１２８】
また、第１実施形態の構成を検眼装置２に適用することも可能である。この場合、メイン制御装置４０を含む眼科装置は、複数の視標を選択的に被検眼に呈示する視標呈示装置２０（視標呈示手段）および複数の光学素子を選択的に被検眼に適用する測定ヘッド１０（光学素子適用手段）の少なくとも一方を制御する。メイン制御装置４０は、通信制御部４４と、制御部４７とを含む。通信制御部４４は、タブレット端末１００との通信の接続を確立する。通信制御部４４は、タブレット端末１００との通信の接続が確立された状態において、タブレット端末１００によって受け付けられた操作に対応した第１操作情報をタブレット端末１００から受信する。制御部４７は、通信制御部４４により受信された第１操作情報に基づいて視標呈示装置２０および測定ヘッド１０の少なくとも一方を制御する。眼科装置は、視標呈示装置２０をさらに含んでもよい。眼科装置は、測定ヘッド１０をさらに含んでもよい。
【０１２９】
また、眼科装置は、コントローラ５０を含んでもよい。制御部４７は、さらに、コントローラ５０によって受け付けられた操作に対応した第２操作情報に基づいて視標呈示装置２０および測定ヘッド１０の少なくとも一方を制御する。
【０１３０】
また、第１実施形態の構成を検眼システム１に適用することも可能である。この場合、検眼システム１は、視標呈示装置２０と、測定ヘッド１０と、メイン制御装置４０（制御手段）と、タブレット端末１００とを含む。視標呈示装置２０は、複数の視標を選択的に被検眼に呈示する。測定ヘッド１０は、複数の光学素子を選択的に被検眼に適用する。メイン制御装置４０は、視標呈示装置２０および測定ヘッド１０の少なくとも一方を制御する。タブレット端末１００は、操作者による操作入力を受けてメイン制御装置４０に操作情報を入力する。メイン制御装置４０は、通信制御部４４と、制御部４７とを有する。通信制御部４４は、タブレット端末１００との通信の接続を確立する。通信制御部４４は、タブレット端末１００との通信の接続が確立された状態において、タブレット端末１００によって受け付けられた操作に対応した第１操作情報をタブレット端末１００から受信する。制御部４７は、通信制御部４４により受信された第１操作情報に基づいて視標呈示装置２０または測定ヘッド１０の少なくとも一方を制御する。
【０１３１】
また、検眼システム１は、コントローラ５０を含む。メイン制御装置４０は、さらに、コントローラ５０によって受け付けられた操作に対応した第２操作情報に基づいて視標呈示装置２０および測定ヘッド１０の少なくとも一方を制御する。
【０１３２】
〔第２実施形態〕
第１実施形態では、検眼システム１が、図１または図４に示すように、検眼装置２の操作手段として、コントローラ５０と１以上のタブレット端末１００とを含む構成を有する場合について説明したが、これに限定されるものではない。第２実施形態では、検眼システムが、検眼装置の操作手段として、１つのタブレット端末のみを含む構成を有する。
【０１３３】
第２実施形態に係る検眼システムの各部の構成は、第１実施形態と同様である。以下では、第２実施形態に係る検眼システムについて、第１実施形態との相違点を中心に説明する。
【０１３４】
図１０に、第２実施形態に係る検眼システムの構成例のブロック図を示す。図１０において、図４と同様の部分には同一符号を付し、適宜説明を省略する。
図１１に、図１０の検眼システムの各部の構成例の機能ブロック図を示す。図１１において、図５と同様の部分には同一符号を付し、適宜説明を省略する。
【０１３５】
第２実施形態に係る検眼システム１ａは、図１０に示すように、測定ヘッド１０と、視標呈示装置２０と、メイン制御装置４０と、タブレット端末１００とを含んで構成されている。第２実施形態に係る検眼システム１ａは、操作手段として１つのタブレット端末１００のみを含み、コントローラ５０が省略された構成を有している。これにより、従来ではコントローラ５０に対して操作を行っていた操作者（特に、検者）は、タブレット端末１００に対して操作を行うことで、従来と同様の検査を行うことができる。この場合、たとえば、図８に示す各領域が任意に配置可能な操作画面を、タブレット端末１００の表示部１０１ａに表示させることにより、操作者にとって操作しやすい操作画面においてタッチ操作による検眼装置の制御が可能になる。
【０１３６】
図１２に、第２実施形態に係る検眼システム１ａの動作例のシーケンス図を示す。図１２は、図９と同様に、垂直方向に時間軸をとり、測定ヘッド１０、視標呈示装置２０、メイン制御装置４０、およびタブレット端末１００の間の情報の送受信の概要を表したものである。
【０１３７】
タブレット端末１００がメイン制御装置４０に対して接続要求を行う（ＳＱ２１）と、メイン制御装置４０は、接続要求を受信し、ペアリング登録された相手方の情報等があらかじめ登録された登録情報を参照する（ＳＱ２２）。
【０１３８】
登録情報にタブレット端末１００が登録されていると、メイン制御装置４０は、タブレット端末１００に対して接続承認を行う（ＳＱ２３）。その後、メイン制御装置４０とタブレット端末１００との間の通信の接続が確立する。
【０１３９】
通信の接続が確立した状態で、タブレット端末１００に対して視標制御を行うための操作が行われると、タブレット端末１００は、当該操作に対応した操作情報をメイン制御装置４０に送る（ＳＱ２４）。
【０１４０】
この操作情報を受けたメイン制御装置４０は、操作情報に基づいて視標呈示装置２０を制御する（ＳＱ２５）。視標呈示装置２０は、メイン制御装置４０からの制御を受け、視標を変更する（ＳＱ２６）。
【０１４１】
通信の接続が確立した状態で、タブレット端末１００に対して測定ヘッド１０における光学素子の切り替え制御を行うための操作が行われると、タブレット端末１００は、当該操作に対応した操作情報をメイン制御装置４０に送る（ＳＱ２７）。
【０１４２】
この操作情報を受けたメイン制御装置４０は、操作情報に基づいて測定ヘッド１０を制御する（ＳＱ２８）。測定ヘッド１０は、メイン制御装置４０からの制御を受け、光学素子を切り替える（ＳＱ２９）。
【０１４３】
［作用・効果］
第２実施形態によれば、第１実施形態と同様に、操作手段としてタブレット端末１００を備えた検眼システム１ａを構成することができるので、操作性を向上させることにより検査効率の向上を図ることが可能になる。また、第２実施形態によれば、最小限の構成で検眼装置を制御することが可能になり、検眼装置（眼科装置）または検眼システムの低コスト化を図ることが可能になる。
【０１４４】
〔第３実施形態〕
第１実施形態では、図８で説明した操作画面が表示されたタブレット端末１００に対する操作と同時に、コントローラ５０に対する操作を受け付けることが可能である。第１実施形態では、メイン制御装置４０は、コントローラ５０に対する操作もタブレット端末１００に対する操作も同様に受け付け、受け付けられた操作に対応した制御を検眼装置に対して行っていたが、これに限定されるものではない。第３実施形態では、メイン制御装置は、あらかじめ決められた優先順位に従って、コントローラ５０に対する操作およびタブレット端末１００に対する操作の一方を受けて、検眼装置を制御する。
【０１４５】
第３実施形態に係る検眼システムの構成は、第１実施形態と同様である。以下では、第３実施形態に係る検眼システムについて、第１実施形態との相違点を中心に説明する。
【０１４６】
図１３に、第３実施形態に係るメイン制御装置の処理例のフロー図を示す。たとえば、図７のＳ１６において、所定の時間内に（すなわち、略同時に）コントローラ５０に対する操作とタブレット端末１００に対する操作が行われたとき、第３実施形態に係るメイン制御装置は、図１３に示す処理に従って検眼装置を制御する。
【０１４７】
（Ｓ２１）
操作手段としての１以上のタブレット端末１００およびコントローラ５０のそれぞれの優先順位が設定された優先情報があらかじめ設定されている。所定の時間内にコントローラ５０に対する操作とタブレット端末１００に対する操作が行われたとき、メイン制御装置の制御部は、優先情報を参照する。そして、制御部は、優先情報により優先順位が高く設定された１以上のタブレット端末１００およびコントローラ５０の１つを特定する。
【０１４８】
（Ｓ２２、Ｓ２３）
測定ヘッド１０を制御するとき（Ｓ２２：Ｙ）、メイン制御装置の制御部は、優先情報を参照することにより特定された１つの操作手段に対する操作に対応した操作情報に基づいて、測定ヘッド１０を制御する（Ｓ２３）。
【０１４９】
（Ｓ２２、Ｓ２４）
測定ヘッド１０を制御しないとき（Ｓ２２：Ｎ）、メイン制御装置の制御部は、優先情報を参照することにより特定された１つの操作手段に対する操作に対応した操作情報に基づいて、視標呈示装置２０を制御する（Ｓ２４）。
【０１５０】
（Ｓ２５）
メイン制御装置の制御部は、Ｓ２２において特定された１つの操作手段を除く他の操作手段に対し、Ｓ２３またはＳ２４における制御結果を反映させる。これにより、他の操作手段としてのタブレット端末１００の表示部１０１ａまたはコントローラ５０の表示部５２に表示された操作画面の内容が、Ｓ２３またはＳ２４における制御結果を受けて更新される。これにより、Ｓ２２において特定された１つの操作手段を除く他の操作手段の操作者は、Ｓ２２において特定された１つの操作手段に対する操作の結果を認識しながら、自身の操作手段に対する操作を行うことが可能になる。以上で、メイン制御装置の制御部による一連の処理は、終了する（エンド）。
【０１５１】
なお、図１３では、操作手段ごとに優先順位が設定された場合について説明したが、これに限定されるものではない。たとえば、検査パラメータの種別ごとに、操作手段としての１以上のタブレット端末１００およびコントローラ５０のそれぞれの優先順位が設定されてもよい。
【０１５２】
［作用・効果］
第３実施形態によれば、あらかじめ設定された優先順位に従って検眼装置を制御することができる。これにより、１以上のタブレット端末１００およびコントローラ５０に対して相反するような制御を行うための操作が行われた場合でも、優先順位に従って検眼システムを用いた検査を滞りなく進めることが可能になる。
【０１５３】
〔第４実施形態〕
第１実施形態〜第３実施形態に係るメイン制御装置４０は、次のような処理に従って、タブレット端末１００との間の通信の接続を切断するようにしてもよい。
【０１５４】
図１４に、第４実施形態に係るメイン制御装置の処理例のフロー図を示す。図１４において、図７と同様の部分には同一符号を付している。以下、第４実施形態に係るメイン制御装置の処理例について、図７との相違点を中心に説明する。
【０１５５】
（Ｓ１５）
制御部４７は、通信制御部４４において、タブレット端末１００からの操作情報が受信されたか否かを検出する。通信制御部４４においてタブレット端末１００からの操作情報が受信されたことが検出されたとき（Ｓ１５：Ｙ）、制御部４７による処理は、Ｓ１６に移行する。一方、通信制御部４４においてタブレット端末１００からの操作情報が受信されたことが検出されなかったとき（Ｓ１５：Ｎ）、制御部４７による処理は、Ｓ３１に移行する。
【０１５６】
（Ｓ３１）
制御部４７は、所定のリセット信号を受信したか否かを検出する。このリセット信号は、たとえば、他のタブレット端末１００によって送信される。他のタブレット端末１００は、メイン制御装置４０に対して新たに接続要求を行うときにリセット信号を送信する。リセット信号が受信されたことが検出されたとき（Ｓ３１：Ｙ）、制御部４７による処理は、Ｓ３２に移行する。リセット信号が受信されたことが検出されなかったとき（Ｓ３１：Ｎ）、制御部４７による処理は、Ｓ１５に移行する。
【０１５７】
（Ｓ３２）
リセット信号が受信されたことが検出されたとき（Ｓ３１：Ｙ）、制御部４７は、通信制御部４４を介して、タブレット端末１００の表示部１０１ａに所定の警告内容を表示させる。この警告内容は、メイン制御装置４０との間で確立された通信の接続を切断してもよいか否かを操作者に問い合わせる内容である。
【０１５８】
（Ｓ３３）
Ｓ３２で表示された警告内容を見た操作者が承諾したことを表す操作情報をタブレット端末１００から受信したとき（Ｓ３３：Ｙ）、制御部４７による処理は、Ｓ１９に移行する。Ｓ３２で表示された警告内容を見た操作者が承諾したことを表す操作情報をタブレット端末１００から受信しなかったとき（Ｓ３３：Ｎ）、制御部４７による処理はＳ１５に移行する。
【０１５９】
［作用・効果］
第４実施形態においては、他のタブレット端末１００が、メイン制御装置４０に対してリセット信号を送信することにより、その時点で通信の接続が確立されたタブレット端末１００の操作者に対してその切断を問い合わせることが可能になる。これにより、タブレット端末１００に対する操作中に、タブレット端末１００の操作者の承諾を受けることなく切断されるといった事態を確実に回避することができる。
【０１６０】
〔第５実施形態〕
第１実施形態〜第３実施形態では、所定のタイムアウト時間が経過すると、メイン制御装置４０は、それまで通信の接続が確立されたタブレット端末１００との間の通信の接続を切断する場合について説明しが、これに限定されるものではない。第５実施形態では、所定のタイムアウト時間が経過しても、所定の検査工程が終了したと判断されるまでは、タブレット端末１００との間の通信の接続を切断しない。
【０１６１】
図１５に、第５実施形態に係るメイン制御装置の処理例のフロー図を示す。図１５において、図７と同様の部分には同一符号を付している。以下、第５実施形態に係るメイン制御装置の処理例について、図７との相違点を中心に説明する。
【０１６２】
（Ｓ１８）
通信制御部４４においてタブレット端末１００からの操作情報が受信されたことが検出されなかったとき（Ｓ１５：Ｎ）、制御部４７は、所定のタイムアウト時間が経過したか否かを検出する。所定のタイムアウト時間が経過したことが検出されたとき（Ｓ１８：Ｙ）、制御部４７による処理は、Ｓ４１に移行する。一方、所定のタイムアウト時間が経過したことが検出されなかったとき（Ｓ１８：Ｎ）、制御部４７による処理は、Ｓ１５に移行する。
【０１６３】
（Ｓ４１）
制御部４７は、所定の検査工程が終了したか否かを検出する。所定の検査工程は、たとえば、処方値が定まる工程である。所定の検査工程は、操作者により任意に変更が可能である。所定の検査工程が終了したことが検出されたとき（Ｓ４１：Ｙ）、制御部４７による処理は、Ｓ１９に移行する。所定の検査工程が終了したことが検出されなかったとき（Ｓ４１：Ｎ）、制御部４７による処理は、Ｓ１５に移行する。
【０１６４】
［作用・効果］
第５実施形態においては、タイムアウト時間が経過しても所定の検査工程が終了するまでは、タブレット端末１００とメイン制御装置４０との間の通信の接続を確立させる。これにより、所定の検査工程が終了していないにもかかわらず、一方的に切断されるといった事態を確実に回避することができる。
【０１６５】
なお、上記の実施形態では、無線通信端末としてタブレット端末を例に説明したが、これに限定されるものではない。無線通信端末として、スマートフォンなどの無線での通信が可能な通信端末であればよい。また、無線通信端末は、検者または被検者が所有する端末であってもよい。
【０１６６】
また、上記の実施形態において、タブレット端末１００は、キーボード２００が接続された状態で、あらかじめ設定された優先順位に従って、タブレット端末１００またはキーボード２００に対する操作に対応した操作情報をメイン制御装置４０に送ってもよい。
【０１６７】
また、上記の実施形態において、複数のタブレット端末１００の１つを被検者用に割り当て、このタブレット端末１００には、検査の回答用の操作画面を表示させ、被検者による回答入力用に用いるようにしてもよい。この場合、メイン制御装置４０との間で通信の接続が確立されたタブレット端末１００は、あらかじめ記憶された被検者回答入力用プログラムを起動し、回答入力用の操作画面を表示する。メイン制御装置４０は、このタブレット端末１００に対する操作を受け、検者が用いるタブレット端末１００に対して回答結果を送信する。
【０１６８】
また、上記の実施形態において、複数のタブレット端末１００の１つに視標呈示装置２０の表示部２４の機能を割り当てるようにしてもよい。この場合、メイン制御装置４０との間で通信の接続が確立されたタブレット端末１００は、あらかじめ記憶された視標呈示用プログラムを起動し、メイン制御装置４０からの制御を受け、指示された視標を呈示する。メイン制御装置４０は、検者により操作されるタブレット端末１００によって視標の切り替え指示を受ける。
【０１６９】
以上に説明した構成は、この発明を好適に実施するための一例に過ぎない。よって、この発明の要旨の範囲内における任意の変形（省略、置換、付加など）を適宜に施すことが可能である。
【０１７０】
また、第１実施形態〜第５の実施形態において説明した構成を任意に組み合わせることが可能である。
【符号の説明】
【０１７１】
１、１ａ  検眼システム
２  検眼装置
３  検眼用テーブル
４、７  支持部
５  支柱
６  横アーム
８  操作アーム
９  格納部
１０  測定ヘッド
１０Ｌ  左眼用検眼ユニット
１０Ｒ  右眼用検眼ユニット
１１Ｌ、１１Ｒ  検眼窓
１２、２１、４１、４２、４３、４４、５３、１０２  通信制御部
１３、２２、４７、５４、１０３、２０３  制御部
２０  視標呈示装置
２３、５５、１０４  表示制御部
２４、５２、１０１ａ  表示部
４０  メイン制御装置
４５  電源部
４６  視標画像生成部
５０  コントローラ
５１、１０１ｂ、２０４  操作部
１００  タブレット端末
１０１  表示パネル
１０５、２０１  無線通信制御部
１０６、２０２  有線通信制御部
２００  キーボード
【図１】
2015223197.tif 000003
【図２】
2015223197.tif 000004
【図３】
2015223197.tif 000005
【図４】
2015223197.tif 000006
【図５】
2015223197.tif 000007
【図６】
2015223197.tif 000008
【図７】
2015223197.tif 000009
【図８】
2015223197.tif 000010
【図９】
2015223197.tif 000011
【図１０】
2015223197.tif 000012
【図１１】
2015223197.tif 000013
【図１２】
2015223197.tif 000014
【図１３】
2015223197.tif 000015
【図１４】
2015223197.tif 000016
【図１５】
2015223197.tif 000017